(57)【要約】【課題】爪切りの周りをジャケットで囲んで刃先を保護し、かつ、ジャケットから爪切りが容易に落ちないようにした爪切り付きキーホルダを提供する。【解決手段】爪切り付きキーホルダは、爪切り（１）と、ジャケット（３）と、鍵輪（２）とを備える。ジャケット（３）の一端に鍵輪（２）が繋げられ、前記ジャケット（３）の他端には爪切り（１）の端部が回転可能に取り付けられる。ジャケット（３）の片面には爪切り（１）を受けるガスケット（３１）が形成される。爪切り（１）の使用時には、ガスケット（３１）から離れるように爪切り（１）を回転させる。一方、爪切り（１）のジャケット（３）への収納時には、ガスケット（３１）に近づくように爪切り（１）を回転させて、爪切り（１）の上壁（２１）とガスケット（３１）とを当接させる。【選択図】図２
0003137702.tif 000002
【実用新案登録請求の範囲】
【請求項１】
爪切りのツールを有するキーホルダであって、
爪切り（１）と、ジャケット（３）と、鍵輪（２）とを備え、
前記ジャケット（３）の一端に鍵輪（２）が繋げられ、前記ジャケット（３）の他端には爪切り（１）の端部が回転可能に取り付けられており、かつ、
前記ジャケット（３）の片面には前記爪切り（１）を受けるガスケット（３１）が形成され、
前記爪切り（１）の使用時には、前記ガスケット（３１）から離れるように前記爪切り（１）を回転させ、前記爪切り（１）の前記ジャケット（３）への収納時には、前記ガスケット（３１）に近づくように前記爪切り（１）を回転させて、前記爪切り（１）の上壁（２１）と前記ガスケット（３１）とを当接させることを特徴とする爪切り付きキーホルダ。
【請求項２】
請求項１記載の爪切り付きキーホルダであって、前記ジャケット（３）には、一対の側壁（３２，３３）があり、これらの側壁（３２，３３）が互いに平行して前記ガスケット（３１）に直立し、前記爪切り（１）を前記ジャケット（３）に収納する時、前記爪切り（１）が前記側壁（３２，３３）の間に嵌り込む、爪切り付きキーホルダ。
【請求項３】
請求項２記載の爪切り付きキーホルダであって、前記爪切り（ｌ）の端部は、軸（１１）を介して前記ジャケット（３）の側壁（３２，３３）の端部に連結される、爪切り付きキーホルダ。
【請求項４】
請求項２記載の爪切り付きキーホルダであって、前記爪切り（１）には爪磨き（１２）が付いており、前記爪切り（１）は前記爪磨き（１２）を介して前記ガスケット（３１）に固定される、爪切り付きキーホルダ。
【請求項５】
請求項４記載の爪切り付きキーホルダであって、前記爪磨き（１２）は、少なくとも１つのリベット継手接点を通じて前記ガスケット（３１）に固定される、爪切り付きキーホルダ。
【請求項６】
請求項１〜５のいずれか一項記載の爪切り付きキーホルダであって、前記ジャケット（３）に蓋（３４）が設けられており、この蓋（３４）と前記ガスケット（３１）とが折り畳み可能に接続される、爪切り付きキーホルダ。
【請求項７】
請求項６記載の爪切り付きキーホルダであって、前記蓋（３４）の前記ガスケット（３１）と反対側の自由端には、爪切り（１）の厚み程度の長さでほぼ垂直に折り曲げられてなる端壁が設けられる、爪切り付きキーホルダ。
【請求項８】
請求項６記載の爪切り付きキーホルダであって、前記鍵輪（２）を設ける端部と、前記蓋（３４）を設ける端部とは、前記ジャケット（３）のそれぞれ異なる２つの端部に分かれて位置する、爪切り付きキーホルダ。
【請求項９】
請求項６記載の爪切り付きキーホルダであって、前記鍵輪（２）を設ける端部と、前記蓋（３４）を設ける端部とは、前記ジャケット（３）の同じ端部に位置する、爪切り付きキーホルダ。
【請求項１０】
請求項２〜５のいずれか一項記載の爪切り付きキーホルダであって、前記側壁（３２，３３）の間隔は、前記爪切り（ｌ）の最大幅より小さく、前記爪切り（１）が回転して前記側壁（３２，３３）の間に嵌り込んだ後に、前記側壁（３２，３３）の端部が前記爪切り（１）の自由端を超える位置になる、爪切り付きキーホルダ。
【考案の詳細な説明】
【技術分野】
【０００１】
本考案は、爪切りの新規な構造に関し、詳しくは、爪切りのツールを有するキーホルダに関するものである。
【背景技術】
【０００２】
日常使用する道具として爪切りを身につけて携帯することがある。最も一般的な携帯手段としては、爪切りをキーホルダに繋げることである。このような手段は、もちろん便利であるが、通常キーホルダに取り付ける鍵と異なって、爪切りの先端部分に一対の鋭い刃が存在する。このため、直接的に爪切りをキーホルダに繋げると、爪切りの先端部分に露出する刃先端が、衣服や鞄などの表面を擦って物品の損傷の原因となる。
【０００３】
上記の解決方法としては、爪切りを直接的にキーホルダに繋げるのではなく、キーホルダに繋がったジャケットに詰めて、使用する際に、ジャケットから取り出すという構造が考えられる。このような方法では、爪切りの先端部分に露出する刃先が物品の表面を擦るといった不具合を効果的に回避することができる。
【０００４】
なお、ジャケット付きの爪切りに関する先行技術としては、特許文献１〜３が開示されている。
【０００５】
【特許文献１】特開２００６−２０４５５９号公報
【特許文献２】特開２００５−１９２７１６号公報
【特許文献３】特開２００３−８８４１７号公報
【考案の開示】
【考案が解決しようとする課題】
【０００６】
しかしながら、上記のような爪切り付きキーホルダの構造によると、爪切りの刃先で物品が疵付くのを防止することはできるが、それに伴って別の問題が生じる。すなわち、爪切りは、ジャケットの内側に分解可能に詰められるため、ジャケットから落ちやすく、いったん落ちてしまうと、物品の表面を擦って疵付けるおそれがあり、さらには、爪切りの紛失原因ともなる。
【０００７】
本考案は、このような現状に鑑みなされたもので、上記の不具合を解決するために、爪切りを囲むジャケットを有するだけではなく、爪切りにジャケットおよび鍵輪に繋げることで、ジャケットから容易に落ちないようにした爪切り付きキーホルダを提供することを目的としている。
【課題を解決するための手段】
【０００８】
前記課題を解決するための第１考案の爪切り付きキーホルダは、
爪切りのツールを有するキーホルダであって、
爪切りと、ジャケットと、鍵輪とを備え、
前記ジャケットの一端に鍵輪が繋げられ、前記ジャケットの他端には爪切りの端部が回転可能に取り付けられており、かつ、
前記ジャケットの片面には前記爪切りを受けるガスケットが形成され、
前記爪切りの使用時には、前記ガスケットから離れるように前記爪切りを回転させ、前記爪切りの前記ジャケットへの収納時には、前記ガスケットに近づくように前記爪切りを回転させて、前記爪切りの上壁と前記ガスケットとを当接させる構成とした。
【０００９】
第２考案の爪切り付きキーホルダは、第１考案の爪切り付きキーホルダであって、前記ジャケットには、一対の側壁があり、これらの側壁が互いに平行して前記ガスケットに直立し、前記爪切りを前記ジャケットに収納する時、前記爪切りが前記側壁の間に嵌り込む構成とした。
【００１０】
第３考案の爪切り付きキーホルダは、第２考案の爪切り付きキーホルダであって、前記爪切りの端部は、軸を介して前記ジャケットの側壁の端部に連結される構成とした。
【００１１】
第４考案の爪切り付きキーホルダは、第２考案の爪切り付きキーホルダであって、前記爪切りには爪磨きが付いており、前記爪切りは前記爪磨きを介して前記ガスケットに固定される構成とした。
【００１２】
第５考案の爪切り付きキーホルダは、第４考案の爪切り付きキーホルダであって、前記爪磨きは、少なくとも１つのリベット継手接点を通じて前記ガスケットに固定される構成とした。
【００１３】
第６考案の爪切り付きキーホルダは、第１〜５考案ののいずれか一の爪切り付きキーホルダであって、前記ジャケットに蓋が設けられており、この蓋と前記ガスケットとが折り畳み可能に接続される構成とした。
【００１４】
第７考案の爪切り付きキーホルダは、第６考案の爪切り付きキーホルダであって、前記蓋の前記ガスケットと反対側の自由端には、爪切りの厚み程度の長さでほぼ垂直に折り曲げられてなる端壁が設けられる構成とした。
【００１５】
第８考案の爪切り付きキーホルダは、第６考案の爪切り付きキーホルダであって、前記鍵輪を設ける端部と、前記蓋を設ける端部とは、前記ジャケットのそれぞれ異なる２つの端部に分かれて位置する構成とした。
【００１６】
第９考案の爪切り付きキーホルダは、第６考案の爪切り付きキーホルダであって、前記鍵輪を設ける端部と、前記蓋を設ける端部とは、前記ジャケットの同じ端部に位置する構成とした。
【００１７】
第１０考案の爪切り付きキーホルダは、第２〜５考案のいずれか一の爪切り付きキーホルダであって、前記側壁の間隔は、前記爪切りの最大幅より小さく、前記爪切りが回転して前記側壁の間に嵌り込んだ後に、前記側壁の端部が前記爪切りの自由端を超える位置になる構成とした。
【００１８】
すなわち、第１考案では、爪切り付きキーホルダの基本的構成として、爪切りとジャケットと鍵輪とを有している。鍵輪は、ジャケットの一端につながり、ジャケットにはガスケットが設けられる。爪切りの一端は、ジャケットに回転可能に取り付けられており、爪切りが片付けられる時、爪切りの上壁とガスケットとが当接して緊密に接触することになる。
この結果、ジャケットから爪切りが脱落しにくく、携帯性の良好な爪切り付きキーホルダを実現することができる。
【００１９】
第２考案では、ジャケットに２つの側壁が形成され、これらの側壁が互いに平行してガスケットに垂直に立ち上がる。爪切りは、ジャケットに収められる時、二つの側壁の間に嵌り込む。使用時、爪切りは、ジャケットの側壁から軸を回って回転して抜き出る。使用後は、相反の方向で軸を回って回転してジャケットに戻る。
【００２０】
２つの側壁の間隔は爪切りの最大幅より小さくするべき、これにより、爪切りが回転して二つの側壁の間に入った時、２つの側壁によってしっかりと押さえられて落ちにくくなる。その上、爪切りが側壁に押さえられる時、側壁の端部は爪切りの自由端を超えて爪切りの自由端を保護することができる（第１０考案）。
【００２１】
爪切りとジャケットとの連結手段としては、ジャケットの一対の側壁に軸を通して、この軸に爪切りを取り付けるとよい（第３考案）。
爪切りの爪磨きをジャケットのガスケットに繋げてもよい（第４考案）。このとき、爪磨きは、少なくとも１つのリベット継手接点を通じてガスケットに固定される（第５考案）。
【００２２】
また、ジャケットには、さらに蓋を設けるとよく、この蓋とガスケットが折り畳み可能に接続されるようにするとよい（第６考案）。このような構成によれば、爪切りを効果的に密封して爪切りを外部から隔離することができる。
【００２３】
また、ジャケットの蓋の先端部分をほぼ垂直に折り曲げてなる端壁を設けてもよい（第７考案）。このような端壁を設けることで、爪切りに蓋を被せる時、ガスケット、側壁、蓋および端壁で爪切りを完全に囲む込むことができる。
【００２４】
さらに、鍵輪の接続端と蓋の接続端との位置関係については、それぞれ爪切り付きキーホルダの相対する２つの端部のうち、それぞれ異なる端部に位置するようにしてよいし（第８考案）、また、両方の接続端が同じ端部に位置するようにしてもよい（第９考案）。前者の場合、鍵輪を引っ張ることで簡単に蓋を開けることができ、後者の場合、鍵輪を吊り下げた状態でガスケットと蓋を折り畳んでジャケットに爪切りを確実に収納することができる。
【００２５】
このように本考案の爪切り付きキーホルダによれば、ジャケットを通じて爪切りを保護するため、爪切りの刃先端が周囲の物品に触れて疵付けるのを効果的に回避することができる。
同時に、爪切りがジャケットに繋げられるめ、爪切りがジャケットから落ちて紛失することを効果的に防止することができる。
【００２６】
第１〜１０考案は、必要に応じて単独で適用してもよいし、これらの考案を組み合わせて適用してもよい。また、本明細書に記載される他の考案を組み合わせてもよい。
【考案を実施するための最良の形態】
【００２７】
以下、本考案の実施形態を図面に基づいて説明する。
［第１実施形態］
図１に示すように、第１実施形態の爪切り付きキーホルダは、基本的な３つの構成部分すなわち爪切り１、鍵輪２およびジャケット３を有している。
ジャケット３の一端に鍵輪２が繋げられ、ジャケット３の他端には爪切り１の端部が回転可能に取り付けられる。ジャケット３の片面には爪切り１を受けるガスケット３１が形成される（図５参照）。
【００２８】
第１実施形態の爪切り付きキーホルダの使用状態を図２に示した。
図２に示すように、ジャケット３には側壁３２，３３が設けられる。側壁３２，３３は、平行に並んでガスケット３１から垂直に立ち上がる（図４参照）。側壁３２，３３の間には、爪切り１を収納するための間隙が確保されており、側壁３２，３３の高さは爪切り１の最上端と同じか、あるいは爪切り１の最上端を少し超える位置に来る。
【００２９】
爪切り１は、軸１１によって図２で上向きに回転してジャケット３の側壁３２，３３に嵌り込む。爪切り１を使わない時、軸１１を支軸としてガスケット３１に近づくように爪切り１を回転させ、爪切り１を２つの側壁３２，３３の間に収納する。このとき、爪切り１の上壁２１とガスケット３１とが当接することになる（図１参照）。
一方、爪切り１の使用時には、ガスケット３１から離れるように爪切り１を回転させ、図２の状態に戻す。
【００３０】
側壁３２，３３の間隔は、爪切り１の最大幅より少し小さく程度に設定される。爪切り１を回転させて側壁３２，３３の間隔に嵌め込むと、側壁３２，３３に弾力性の歪みが発生して爪切り１をしっかりと側壁３２，３３の両壁面で挟む。これにより、爪切り１が二つの側壁３２，３３から簡単には脱落しなくなる。
【００３１】
側壁３２，３３の鍵輪２側の端部は、爪切りｌが側壁３２，３３の間にある時、爪切り１の自由端つまり刃端を超える位置まで来ることが望ましい。このような構成によれば、爪切りの刃を効果的に保護することができる。
また、ジャケット３には、蓋３４が設けられている。この蓋３４が折り畳み可能にガスケット３１の一端に接続される。爪切り１が側壁３２，３３の間にある時、蓋３４を折り畳むことにより爪切り１を覆うことができる。
【００３２】
［第２実施形態］
本考案の第２実施形態を図３に示した。
第２実施形態の爪切り付きキーホルダは、第１実施形態の構成に爪磨き１２を付加したものである。図３に示すように、爪切り１の固定端（回転端）側に爪磨き１２が連結される。爪磨き１２をリベット継手接点３６でガスケット３１に固定することによって爪切りｌとジャケット３とが接続される。
【００３３】
爪磨き１２とガスケット３１とを固定手段としては、少なくとも１つのリベット継手接点３６が必要である。リベット継手接点３６を採用する場合、爪切り１はガスケット３１に固定された爪磨き１２に対して軸１１を中心に離れる方向に回転すると、側壁３２，３３の間から取り出される。一方、爪磨き１２に対して近づく方向に回転すると、側壁３２，３３の間に収納される。
【００３４】
［第３実施形態］
本考案の第３実施形態を図６に示した。
第３実施形態の爪切り付きキーホルダは、基本的な構成部分として爪切り１、鍵輪２およびジャケット３を有している。ジャケット３の一端に鍵輪２が繋げられ、ジャケット３の他端には爪切り１の端部が軸１１によって回転可能に取り付けられる。ジャケット３の片面には、爪切り１の爪磨き１２を受けるガスケット３１が形成される。
【００３５】
ジャケット３には、側壁が省略されており、ガスケット３１のみが設けられる。爪切り１を使わない時、軸１１により爪切り１を回転させて上壁２１とガスケット３１とを当接させる。
【００３６】
ジャケット３には、蓋３４が設けられており、この蓋３４の端部とガスケット３１の端部とが折り畳み可能に接続される。爪切り１を収納する際、蓋３４とガスケット３１とをその接続部で折り畳むと、爪切り１を覆うことができる。
【００３７】
第１〜３実施形態の爪切り付きキーホルダによれば、爪切り１を使わない時、爪切り１をジャケット３に収めて囲み、爪切り１の刃先端を周囲の物品から隔離することができる。これにより、爪切り１の先端が衣服などの周囲品に触れて擦り疵などを付けるのを効果的に防止することができる。
また、爪切り１がジャケット３に繋がる構成であるから、ジャケット３から爪切り１が脱落して周囲の物品を疵付けたり、紛失したりする不具合も解消することができる。
【００３８】
第１〜３実施形態を説明したが、本考案の実施形態はこれらに限定されることなく、種々の変形・変更を伴ってもよい。
例えば、蓋３４の自由端には、爪切り１の厚み程度の長さをもってほぼ垂直に折れ曲がる端壁を設けてもよい。このような構成によれば、爪切り１をジャケット３に収める時、蓋３４にある端壁によって爪切り１をジャケット３で完全に囲んでその収納状態を安定させることができる。
【００３９】
また、鍵輪２の接続端と蓋３４の接線端の位置関係については、前述の実施形態１〜３では、両方の接続端がジャケット３の同じ端部に位置しているが、それぞれ異なる端部に位置するようにしてよい。
【図面の簡単な説明】
【００４０】
【図１】本考案の第１実施形態による爪切り付きキーホルダを示すもので、爪切りの使用状態を示す斜視図である。
【図２】同第１実施形態による爪切り付きキーホルダを示すもので、爪切りの展開状態を示す斜視図である。
【図３】本考案の第２実施形態による爪切り付きキーホルダを示すもので、爪切りの使用状態を示す斜視図である。
【図４】同第１実施形態および第２実施形態による爪切り付きキーホルダのジャケットを示すもので、爪切りを省略して描いた斜視図である。
【図５】同第１実施形態および第２実施形態による爪切り付きキーホルダのジャケットを示すもので、爪切りおよび側壁を省略して描いた斜視図である。
【図６】本考案の第３実施形態による爪切り付きキーホルダを示すもので、爪切りの使用状態を示す斜視図である。
【符号の説明】
【００４１】
１      爪切り
２      鍵輪
３      ジャケット
１１      軸
２１      上壁
３１      ガスケット
３２，３３  側壁
３４      蓋
３６      リベット継手接点
【図１】
0003137702.tif 000003
【図２】
0003137702.tif 000004
【図３】
0003137702.tif 000005
【図４】
0003137702.tif 000006
【図５】
0003137702.tif 000007
【図６】
0003137702.tif 000008